(57)【要約】  【課題】互いに、相手を待ち合わせ場所で長い時間待たせることのないように、待ち合わせ時刻を携帯端末間で設定する。  【解決手段】一方の携帯端末１は、操作者から入力された待ち合わせ場所に関する情報を相手の携帯端末１に送信するとともに、現在地から待ち合わせ場所に移動した場合における待ち合わせ場所への到着予想時刻を取得する。また、他方の携帯端末１は、待ち合わせ場所に関する情報を相手の携帯端末１から受信するとともに、現在地から待ち合わせ場所に移動した場合における待ち合わせ場所への到着予想時刻を取得する。それから、一方あるいは他方の携帯端末１は、相手の携帯端末１から到着予想時刻を取得し、これを自身の到着予想時刻と比較して、遅い方の到着予想時刻を待ち合わせ時刻に設定する。そして、待ち合わせ時刻を相手の携帯端末１に送信する。【選択図】図１
2015082243.tif 000002
【特許請求の範囲】
【請求項１】
待ち合わせ場所における待ち合わせ時刻を携帯端末間で設定する待ち合わせ時刻設定方法であって、
いずれかの前記携帯端末は、
操作者から入力された待ち合わせ場所に関する情報を、他の前記携帯端末に送信し、
自携帯端末の、現在地から待ち合わせ場所に移動した場合における待ち合わせ場所への到着予想時刻を取得し、
前記他の携帯端末は、
前記待ち合わせ場所に関する情報を受信し、
自携帯端末の、現在地から待ち合わせ場所に移動した場合における当該待ち合わせ場所への到着予想時刻を取得し、
前記待ち合わせ場所の通知元の携帯端末、あるいは、前記待ち合わせ場所の通知先のいずれかの携帯端末は、
自携帯端末以外の前記携帯端末から到着予想時刻を取得して、当該到着予想時刻と自携帯端末の到着予想時刻とを比較して、最も遅い方の到着予想時刻を待ち合わせ時刻に設定し、前記到着予想時刻の取得元の携帯端末に前記待ち合わせ時刻を送信する
ことを特徴とする待ち合わせ時刻設定方法。
【請求項２】
相手端末と待ち合わせ場所における待ち合わせ時刻を設定する携帯端末であって、
現在地を検出する現在地検出手段と、
前記現在地検出手段により検出された現在地から、操作者により入力された、あるいは前記相手端末より受信した待ち合わせ場所に移動した場合における、当該待ち合わせ場所への到着予想時刻を取得する到着予想時刻取得手段と、
前記到着予想時刻手段により取得した到着予想時刻と、前記相手端末から受信した到着予想時刻とを比較して、最も遅い到着予想時刻を待ち合わせ時刻に設定する待ち合わせ時刻設定手段と、
前記待ち合わせ時刻設定手段により設定された待ち合わせ時刻を前記相手端末に送信する待ち合わせ時刻送信手段と、を有する
ことを特徴とする携帯端末。
【請求項３】
相手端末と待ち合わせ場所における待ち合わせ時刻を設定する携帯端末であって、
現在地を検出する現在地検出手段と、
前記現在地検出手段により検出された現在地から、操作者により入力された、あるいは前記相手端末より受信した待ち合わせ場所に移動した場合における、当該待ち合わせ場所への到着予想時刻を取得する到着予想時刻取得手段と、
前記到着予想時刻取得手段により取得した到着予想時刻を前記相手端末に送信して、前記相手端末から待ち合わせ時刻を受信する待ち合わせ時刻受信手段と、
前記待ち合わせ時刻受信手段により受信した待ち合わせ時刻を設定する待ち合わせ時刻設定手段と、を有する
ことを特徴とする携帯端末。
【請求項４】
請求項２または３に記載の携帯端末であって、
前記現在地検出手段により検出された現在地を出発地とし、前記待ち合わせ場所を目的地とする経路探索処理によって得られる、前記出発地から前記目的地までの移動経路情報を取得する移動経路取得手段をさらに有し、
前記到着予想時刻取得手段は、
前記移動経路取得手段により取得された、前記出発地から前記目的地までの移動経路情報から、前記目的地である前記待ち合わせ場所への到着予想時刻を取得する
ことを特徴とする携帯端末。
【請求項５】
請求項４に記載の携帯端末であって、
前記移動経路取得手段は、
前記待ち合わせ時刻設定手段により設定された待ち合わせ時刻が、前記到着予想時刻取得手段により取得された到着予想時刻より遅い時刻である場合に、前記現在地検出手段により検出された現在地を出発地とし、前記待ち合わせ場所を目的地とし、前記設定された待ち合わせ時刻を到着希望時刻とする経路探索処理によって得られる、前記出発地から前記目的地までの移動経路情報を取得する
ことを特徴とする携帯端末。
【請求項６】
請求項４または５に記載の携帯端末であって、
前記現在地検出手段により検出される現在地および当該現在地の検出時刻と、前記移動経路取得手段により取得された、前記出発地から前記目的地までの移動経路情報とに基づいて、前記目的地である前記待ち合わせ場所への自携帯端末の移動状況を監視する移動状況監視手段をさらに備え、
前記移動経路情報は、
前記目的地への到着予想時刻、および前記出発地から前記目的地までの移動経路上に存在する少なくとも一つの経由地および当該経由地の通過予想時刻を含み、
前記移動状況監視手段は、
前記現在地検出手段により検出された現在地の検出時刻が、当該現在地よりも前記目的地側に位置し、かつ当該現在地に最寄りの経由地の通過予想時刻の所定時間以上後の時刻である場合に、前記待ち合わせ場所への遅着を警告する
ことを特徴とする携帯端末。
【請求項７】
請求項６に記載の携帯端末であって、
前記移動状況監視手段は、
前記現在地検出手段により検出された現在地の検出時刻が、当該現在地よりも前記出発地側に位置し、かつ当該現在地に最寄りの経由地の通過予想時刻の所定時間以上前の時刻である場合に、前記待ち合わせ場所への早着を警告する
ことを特徴とする携帯端末。
【請求項８】
請求項６または７に記載の携帯端末であって、
前記移動経路情報は、
前記出発地から前記目的地までの移動経路を構成する各区間の移動手段を含み、
前記移動状況監視手段は、
警告する場合に、前記現在地検出手段により検出された現在地が位置する区間の移動手段に応じて警告内容を変更する
ことを特徴とする携帯端末。
【請求項９】
請求項６ないし８のいずれか一項に記載の携帯端末であって、
前記移動状況監視手段による遅着の警告に対して操作者から指示を受け付けた場合に、
前記移動経路取得手段は、
前記現在地検出手段により検出された現在地を出発地とし、前記待ち合わせ場所を目的地とする経路探索処理によって得られる、前記出発地から前記目的地までの移動経路情報を再度取得し、
前記到着予想時刻取得手段は、
前記移動経路取得手段により再度取得された、前記出発地から前記目的地までの移動経路情報から、前記目的地である前記待ち合わせ場所への到着予想時刻を再度取得し、
前記待ち合わせ時刻設定手段は、
前記到着予想時刻取得手段により再度取得された待ち合わせ場所への到着予想時刻が前記待ち合わせ時刻より遅いならば、前記待ち合わせ時刻を当該到着予想時刻に変更するとともに、当該到着予想時刻を含む待ち合わせ時刻の変更通知を前記相手端末に送信し、前記相手端末から待ち合わせ時刻の変更通知を受信した場合に、前記待ち合わせ時刻を当該変更通知に含まれている到着予想時刻に変更する
ことを特徴とする携帯端末。
【発明の詳細な説明】
【技術分野】
【０００１】
本発明は、携帯端末に関し、特に、待ち合わせ場所における待ち合わせ時刻を携帯端末間で設定する技術に関する。
【背景技術】
【０００２】
特許文献１には、待ち合わせをしている相手に目的地の到着予想時刻を連絡することができる移動体用情報端末が開示されている。この移動体用情報端末は、現在地を検出してこれを出発地とし、出発地から、待ち合わせ場所である目的地までの経路探索を行い、待ち合わせ場所の到着予想時刻を算出する。そして、この到着予想時刻が予め入力された待ち合わせ時刻に間に合うか否かを判定し、間に合わないと判定したならば、到着予定時刻の入力画面を表示する。それから、移動体用情報端末は、入力画面に入力された到着予定時刻を、電子メールにより待ち合わせ相手の端末に送信する。
【先行技術文献】
【特許文献】
【０００３】
【特許文献１】特開２００７−１７８２７９号公報
【発明の概要】
【発明が解決しようとする課題】
【０００４】
駅前、デパートの入り口等、人の往来が多い場所で待ち合わせする場合において、待ち合わせ相手を待ち合わせ場所で長い時間待たせることは、待ち合わせ相手に不快な思いをさせる。特許文献１に記載の移動体用情報端末は、待ち合わせ場所への到着予定時刻を待ち合わせ相手の端末に知らせることはできるが、この点を考慮していない。
【０００５】
本発明は上記事情に鑑みてなされたものであり、その目的は、互いに、待ち合わせ相手を待ち合わせ場所で長い時間待たせることのないように、待ち合わせ時刻を携帯端末間で設定する技術を提供することにある。
【課題を解決するための手段】
【０００６】
上記課題を解決するために、本発明では、互いに待ち合わせ時刻に待ち合わせ場所に到着できるように、待ち合わせ時刻を携帯端末間で設定する。すなわち、一の携帯端末は、操作者から入力された待ち合わせ場所に関する情報を待ち合わせ相手の携帯端末に送信するとともに、現在地から待ち合わせ場所に移動した場合における待ち合わせ場所への到着予想時刻を取得する。また、他の携帯端末は、待ち合わせ相手の携帯端末から待ち合わせ場所に関する情報を受信するとともに、現在地から待ち合わせ場所に移動した場合における待ち合わせ場所への到着予想時刻を取得する。それから、待ち合わせ場所通知元の携帯端末、あるいは、待ち合わせ場所通知先の携帯端末は、待ち合わせ相手の携帯端末から到着予想時刻を取得し、これを自身の到着予想時刻と比較して、最も遅い到着予想時刻を待ち合わせ時刻に設定する。そして、待ち合わせ時刻を待ち合わせ相手の携帯端末に送信する。
【０００７】
例えば、本発明の待ち合わせ時刻設定方法は、待ち合わせ場所における待ち合わせ時刻を携帯端末間で設定する待ち合わせ時刻設定方法であって、
いずれかの前記携帯端末は、
操作者から入力された待ち合わせ場所に関する情報を他の前記携帯端末に送信し、
自携帯端末の、現在地から待ち合わせ場所に移動した場合における待ち合わせ場所への到着予想時刻を取得し、
前記他の携帯端末は、
前記待ち合わせ場所に関する情報を受信し、
自携帯端末の、現在地から待ち合わせ場所に移動した場合における当該待ち合わせ場所への到着予想時刻を取得し、
前記待ち合わせ場所の通知元の携帯端末、あるいは、前記待ち合わせ場所の通知先のいずれか携帯端末は、
自携帯端末以外の前記携帯端末から到着予想時刻を取得して、当該到着予想時刻と自携帯端末の到着予想時刻とを比較して、最も遅い到着予想時刻を待ち合わせ時刻に設定し、前記到着予想時刻の取得元の携帯端末に前記待ち合わせ時刻を送信する。
【０００８】
また、例えば、本発明の携帯端末は、相手端末と待ち合わせ場所における待ち合わせ時刻を設定する携帯端末であって、
現在地を検出する現在地検出手段と、
前記現在地検出手段により検出された現在地から、操作者により入力された、あるいは前記相手端末より受信した待ち合わせ場所に移動した場合における、当該待ち合わせ場所への到着予想時刻を取得する到着予想時刻取得手段と、
前記到着予想時刻取得手段により取得した到着予想時刻と、前記相手端末から受信した到着予想時刻とを比較して、最も遅い到着予想時刻を待ち合わせ時刻に設定する待ち合わせ時刻設定手段と、
前記待ち合わせ時刻設定手段により設定された待ち合わせ時刻を前記相手端末に送信する待ち合わせ時刻送信手段と、を有する。
【０００９】
また、例えば、本発明の携帯端末は、相手端末と待ち合わせ場所における待ち合わせ時刻を設定する携帯端末であって、
現在地を検出する現在地検出手段と、
前記現在地検出手段により検出された現在地から、操作者により入力された、あるいは前記相手端末より受信した待ち合わせ場所に移動した場合における、当該待ち合わせ場所への到着予想時刻を取得する到着予想時刻取得手段と、
前記到着予想時刻取得手段により取得した到着予想時刻を前記相手端末に送信して、前記相手端末から待ち合わせ時刻を受信する待ち合わせ時刻受信手段と、
前記待ち合わせ時刻受信手段により受信した待ち合わせ時刻を設定する待ち合わせ時刻設定手段と、を有する。
【発明の効果】
【００１０】
本発明によれば、携帯端末間において、それぞれの現在地から待ち合わせ場所に移動した場合における待ち合わせ場所への到着予想時刻のうちの遅い方の時刻が待ち合わせ時刻に設定されるので、各携帯端末の操作者は、待ち合わせ時刻に遅れることなく待ち合わせ場所に移動することが可能となる。このため、互いに、待ち合わせ相手を待ち合わせ場所で長い時間待たせることのないように、携帯端末間で待ち合わせ時刻を設定することができる。
【図面の簡単な説明】
【００１１】
【図１】図１は、本発明の一実施の形態に係る通信システムの概略構成図である。
【図２】図２は、本発明の一実施の形態に係る通信システムの動作例を説明するためのシーケンス図である。
【図３】図３は、本発明の一実施の形態に係る通信システムの動作例を説明するためのシーケンス図であり、図２の続きである。
【図４】図４は、携帯端末１の概略機能構成図である。
【図５】図５は、経路情報記憶部１４に記憶される移動経路情報を模式的に表した図である。
【図６】図６は、携帯端末１の動作を説明するためのフロー図である。
【図７】図７は、図６の待ち合わせ時刻設定マスタ処理（Ｓ２０１）を説明するためのフロー図である。
【図８】図８は、図６の待ち合わせ時刻設定スレーブ処理（Ｓ２０３）を説明するためのフロー図である。
【図９】図９は、図６の待ち合わせ時刻再設定マスタ処理（Ｓ２０６）を説明するためのフロー図である。
【図１０】図１０は、図６の待ち合わせ時刻再設定スレーブ処理（Ｓ２０８）を説明するためのフロー図である。
【図１１】図１１は、図６において、Ｓ２０４により開始して、Ｓ２１０により終了する移動状況監視処理を説明するためのフロー図である。
【発明を実施するための形態】
【００１２】
以下に、本発明の一実施の形態について説明する。
【００１３】
図１は、本実施の形態に係る通信システムの概略構成図である。
【００１４】
図示するように、本実施の形態に係る通信システムは、複数の携帯端末１−１、１−２（以下、単に携帯端末１とも呼ぶ）と、経路探索サーバ２と、を備えている。携帯端末１は無線基地局４を介してネットワーク３に接続されており、経路探索サーバ２もネットワーク３に接続されている。
【００１５】
経路探索サーバ２は、携帯端末１から受信した経路探索要求に従い、経路探索要求に含まれている出発地から目的地までの移動経路の探索処理を行う。ここで、経路探索要求に目的地への到着希望時刻が含まれているならば、目的地への到着予想時刻が到着希望時刻より前の時刻かつ到着希望時刻に最も近い時刻となる移動経路の探索処理を行う。そして、出発地から目的地までの移動経路情報を経路探索要求送信元の携帯端末１に送信する。
【００１６】
なお、移動経路情報は、目的地への到着予想時刻と、出発地から目的地までの移動経路上に存在する少なくとも一つの経由地の情報およびその経由地の通過予想時刻と、出発地から目的地までの移動経路を構成する各区間（出発地−経由地間、経由地−経由地間、経由地−目的地間）の情報およびその区間における移動手段（徒歩、電車、バス、自動車等）と、を含むものとする。
【００１７】
携帯端末１は、待ち合わせ相手の携帯端末１と連携し、かつ経路探索サーバ２を利用して、互いの現在位置から待ち合わせ時刻に待ち合わせ場所へ到着できるように、待ち合わせ時刻を設定する。また、待ち合わせ時刻に待ち合わせ場所へ到着できるように、待ち合わせ場所への移動状況を監視する。
【００１８】
図２および図３は、本実施の形態に係る通信システムの動作例を説明するためのシーケンス図である。
【００１９】
携帯端末１−１は、操作者から待ち合わせ相手との待ち合わせ場所の指定を受け付けると（Ｓ１００）、現在地を検出するとともに（Ｓ１０１）、この現在地を出発地とし、待ち合わせ場所を目的地とする経路探索要求を経路探索サーバ２に送信する（Ｓ１０２）。
【００２０】
これを受けて、経路探索サーバ２は、携帯端末１−１から受信した経路探索要求に含まれている出発地から目的地までの移動経路を探索する（Ｓ１０３）。そして、出発地から目的地までの移動経路情報を携帯端末１−１に送信する（Ｓ１０４）。
【００２１】
つぎに、携帯端末１−１は、操作者から、待ち合わせ相手として携帯端末１−２の指定を受け付けると（Ｓ１０５）、携帯端末１−２に待ち合わせ場所を通知する（Ｓ１０６）。
【００２２】
携帯端末１−２は、携帯端末１−１から待ち合わせ場所の通知を受け取ると、現在地を検出するとともに（Ｓ１０７）、この現在地を出発地とし、通知された待ち合わせ場所を目的地とする経路探索要求を経路探索サーバ２に送信する（Ｓ１０８）。
【００２３】
これを受けて、経路探索サーバ２は、携帯端末１−２から受信した経路探索要求に含まれている出発地から目的地までの移動経路を探索する（Ｓ１０９）。そして、出発地から目的地までの移動経路情報を携帯端末１−２に送信する（Ｓ１１０）。
【００２４】
携帯端末１−２は、経路探索サーバ２から移動経路情報を受信したならば、この移動経路情報に含まれている目的地への到着予想時刻を取得する。そして、携帯端末１−１に、この到着予想時刻を通知する（Ｓ１１１）。
【００２５】
携帯端末１−１は、携帯端末１−２から到着予想時刻の通知を受け取ると、この到着予想時刻（携帯端末１−２の、待ち合わせ場所への到着予想時刻）と、経路探索サーバ２から受信した移動経路情報に含まれている目的地への到着予想時刻（携帯端末１−１の、待ち合わせ場所への到着予想時刻）とを比較して、遅い方の到着予想時刻を待ち合わせ時刻に設定する（Ｓ１１２）。ここでは、携帯端末１−１の待ち合わせ場所への到着予想時刻が待ち合わせ時刻に設定されたものとする。
【００２６】
つぎに、携帯端末１−１は、待ち合わせ場所への自身の到着予想時刻が待ち合わせ時刻に設定されたか否かを判断する。ここでは、携帯端末１−１の待ち合わせ場所への到着予想時刻が待ち合わせ時刻に設定されているので、携帯端末１−１は、待ち合わせ場所、待ち合わせ時刻、および移動経路情報を表示するとともに（Ｓ１１３）、携帯端末１−２に待ち合わせ時刻を通知する（Ｓ１１４）。なお、待ち合わせ場所への自身の到着予想時刻が待ち合わせ時刻に設定されていない場合、携帯端末１−１は、現在地を出発地、待ち合わせ場所を目的地、待ち合わせ時刻を目的地への到着希望時刻とする経路探索要求を経路探索サーバ２に送信して、経路探索サーバ２から、到着希望時刻より前の時刻であって到着希望時刻に最も近い時刻を目的地への到着予想時刻とする、出発地から目的地までの移動経路情報を新たに取得する。それから、待ち合わせ場所、待ち合わせ時刻、および新たに取得した移動経路情報を表示するとともに（Ｓ１１３）、携帯端末１−２に待ち合わせ時刻を通知する（Ｓ１１４）。
【００２７】
携帯端末１−２は、携帯端末１−１から待ち合わせ時刻の通知を受け取ると、この待ち合わせ時刻を設定する（Ｓ１１５）。それから、携帯端末１−２は、待ち合わせ場所への自身の到着予想時刻が待ち合わせ時刻に設定されたか否かを判断する。ここでは、待ち合わせ時刻には携帯端末１−１の到着予想時刻が設定されているので、携帯端末１−２の待ち合わせ場所への到着予想時刻は待ち合わせ時刻と一致しない。そこで、携帯端末１−２は、現在地を出発地、待ち合わせ場所を目的地、待ち合わせ時刻を目的地への到着希望時刻とする経路探索要求を経路探索サーバ２に送信する（Ｓ１１６）。
【００２８】
これを受けて、経路探索サーバ２は、携帯端末１−２から受信した経路探索要求に含まれている出発地から目的地までの移動経路を探索する。ここでは、経路探索要求に到着希望時刻が含まれているため、この到着希望時刻より前の時刻かつ到着希望時刻に最も近い時刻を目的地への到着予想時刻とする移動経路を探索する（Ｓ１１７）。そして、探索した移動経路情報を携帯端末１−２に送信する（Ｓ１１８）。
【００２９】
携帯端末１−２は、経路探索サーバ２から移動経路情報を新たに受信すると、待ち合わせ場所、待ち合わせ時刻、および新たに取得した移動経路情報を表示して（Ｓ１１９）、操作者から承諾操作あるいは拒否操作を受け付けるのを待つ。なお、携帯端末１−２は、待ち合わせ場所への自身の到着予想時刻が待ち合わせ時刻と一致する場合、直ちに、待ち合わせ場所、待ち合わせ時刻、および移動経路情報を表示して（Ｓ１１９）、操作者から承諾操作あるいは拒否操作を受け付けるのを待つ。
【００３０】
つぎに、携帯端末１−２は、操作者から承諾操作を受け付けると（Ｓ１２０）、携帯端末１−１に待ち合わせ承諾を通知するとともに（Ｓ１２１）、定期的に現在地を検出し、現在地およびその検出時刻と、移動経路情報に含まれている経由地の通過予想時刻とに基づいて、待ち合わせ場所への移動状況の監視を開始する（Ｓ１２２）。また、携帯端末１−１は、携帯端末１−２から待ち合わせ承諾の通知を受け付けると、携帯端末１−２と同様、待ち合わせ場所への移動状況の監視を開始する（Ｓ１２３）。
【００３１】
なお、携帯端末１−２は、操作者から拒否操作を受け付けた場合、携帯端末１−１に待ち合わせ拒否を通知して処理を終了する。携帯端末１−１も、携帯端末１−２から受信した待ち合わせ拒否に従い処理を終了する。
【００３２】
ここで、携帯端末１−２が、移動経路上の経由地の通過予想時刻を過ぎても、その経由地を通過していないものとする。この場合、携帯端末１−２は、待ち合わせ時刻までに待ち合わせ場所に到着しない可能性があることを示す遅着を検出し、遅着の警告を表示する（Ｓ１２４）。ここで、遅着の警告は、現在地が位置する移動経路上の区間に対応付けられている移動手段に応じて、その内容を変えるものとする。
【００３３】
つぎに、携帯端末１−２は、操作者から待ち合わせ時刻の再設定指示を受け付けると（Ｓ１２５）、現在地を検出するとともに（Ｓ１２６）、この現在地を出発地とし、待ち合わせ場所を目的地とする経路探索要求を経路探索サーバ２に送信する（Ｓ１２７）。
【００３４】
これを受けて、経路探索サーバ２は、携帯端末１−２から受信した経路探索要求に含まれている出発地から目的地までの移動経路を探索する（Ｓ１２８）。そして、出発地から目的地までの移動経路情報を携帯端末１−２に送信する（Ｓ１２９）。
【００３５】
つぎに、携帯端末１−２は、経路探索サーバ２から新たに取得した移動経路情報に含まれている目的地への到着予想時刻と、待ち合わせ時刻とを比較する。ここで、目的地への到着予想時刻が待ち合わせ時刻より遅い時間であるとする。この場合、携帯端末１−２は、目的地への到着予想時刻を待ち合わせ時刻に再設定するとともに（Ｓ１３０）、新たに取得した移動経路情報を用いて待ち合わせ場所への移動状況の監視を続行する。それから、携帯端末１−２は、待ち合わせ場所、待ち合わせ時刻、および新たに取得した移動経路情報を表示するとともに（Ｓ１３１）、携帯端末１−１に待ち合わせ時刻変更を通知する（Ｓ１３２）。なお、目的地への到着予想時刻が待ち合わせ時刻より早い時間である場合、携帯端末１−２は、待ち合わせ時刻の再設定（Ｓ１３０）および携帯端末１−１に対する待ち合わせ時刻変更の通知（Ｓ１３２）は行わない。
【００３６】
携帯端末１−１は、携帯端末１−２から待ち合わせ時刻変更の通知を受信すると、待ち合わせ時刻を、この通知された変更後の待ち合わせ時刻に再設定するとともに、待ち合わせ時刻が再設定（変更）された旨を表示する（Ｓ１３３）。
【００３７】
つぎに、携帯端末１−１は、操作者から移動経路の再探索指示を受け付けると（Ｓ１３４）、現在地を検出するとともに（Ｓ１３５）、この現在地を出発地とし、待ち合わせ場所を目的地とし、再設定された待ち合わせ時刻を目的地への到着希望時刻とする経路探索要求を経路探索サーバ２に送信する（Ｓ１３６）。
【００３８】
これを受けて、経路探索サーバ２は、携帯端末１−１から受信した経路探索要求に含まれている出発地から目的地までの移動経路であって、経路探索要求に含まれている到着希望時刻より前の時刻かつ到着希望時刻に最も近い時刻を目的地への到着予想時刻とする移動経路を探索する（Ｓ１３７）。そして、探索した移動経路情報を携帯端末１−１に送信する（Ｓ１３８）。
【００３９】
携帯端末１−１は、経路探索サーバ２から移動経路情報を新たに受信すると、待ち合わせ場所、待ち合わせ時刻、および新たに取得した移動経路情報を表示するとともに（Ｓ１３９）、新たに取得した移動経路情報を用いて待ち合わせ場所への移動状況の監視を続行する。
【００４０】
その後、携帯端末１−１は、現在地が目的地に到達したこと（待ち合わせ場所への到着）を検出したならば（Ｓ１４０）、移動状態の監視を終了する（Ｓ１４１）。同様に、携帯端末１−２は、現在地が目的地に到達したことを検出したならば（Ｓ１４２）、移動状態の監視を終了する（Ｓ１４３）。
【００４１】
つぎに、本実施の形態に係る通信システムに用いる携帯端末１の詳細を説明する。なお、経路探索サーバ２には、経路探索サービスを提供する第三者機関等の既存のサーバを利用できるので、その詳細な説明を省略する。
【００４２】
図４は、携帯端末１の概略機能構成図である。
【００４３】
図示するように、携帯端末１は、無線通信インターフェース部１０と、マンマシンインターフェース部１１と、現在地検出部１２と、経路探索要求部１３と、経路情報記憶部１４と、到着予想時刻取得部１５と、待ち合わせ情報送受信部１６と、移動状況監視部１７と、待ち合わせ情報記憶部１８と、待ち合わせ情報設定部１９と、を有する。
【００４４】
無線通信インターフェース部１０は、無線基地局４を介してネットワーク３に接続するためのインターフェースである。
【００４５】
マンマシンインターフェース部１１は、操作者に情報を表示したり、操作者から各種操作を受け付けたりするためのインターフェースであり、例えばタッチセンサ機能付き液晶パネルで構成される。
【００４６】
現在地検出部１２は、例えばＧＰＳ（Ｇｌｏｂａｌ  Ｐｓｉｔｉｏｎｉｎｇ  Ｓｙｓｔｅｍ）衛星からＧＰＳデータを受信し、このＧＰＳデータに基づいて自携帯端末１の現在地を検出する。
【００４７】
経路探索要求部１３は、待ち合わせ情報設定部１９の指示に従い、出発地および目的地の指定（場合によっては目的地への到着希望時間の指定を含む）を伴う経路探索要求を経路探索サーバ２に送信して、出発地から目的地までの移動経路情報を経路探索サーバ２から取得する。
【００４８】
経路情報記憶部１４には、経路探索要求部１３によって経路探索サーバ２から取得した移動経路情報が記憶される。図５は、経路情報記憶部１４に記憶される移動経路情報を模式的に表した図である。
【００４９】
図示するように、移動経路情報は、複数のノード情報１４１−０〜１４１−ｎ（以下、単にノード情報１４１とも呼ぶ）と、複数のリンク情報１４２−１〜１４２−ｎ（以下、単にリンク情報１４２とも呼ぶ）と、を含んでいる。
【００５０】
ノード情報１４１は、移動経路上の地点に関する情報であり、最初のノード情報１４１−０が出発地のノード情報、最後のノード情報１４１−ｎが目的地のノード情報、そして、その中間にあるノード情報１４１−１〜１４１−（ｎ−１）が経由地の情報である。経由地のノード情報１４１−１〜１４１−（ｎ−１）は、出発地から目的地に向けて移動経路上の順番に並んでいる。ノード情報１４１は、ノード種別（出発地、第一経由地〜第ｎ−１経由地、目的地）１４１１、ノードの名称１４１２、ノードの座標１４１３、およびノードの出発予定／通過・到着予想時刻１４１４を含む。ノードの出発予定／通過・到着予想時刻１４１４は、ノード種別１４１１が出発地ならば出発予定時刻であり、経由地ならば通過予想時刻であり、目的地ならば到着予想時刻である。
【００５１】
リンク情報１４２は、移動経路上の隣接する２地点に挟まれた区間に関する情報であり、出発地から目的地に向けて移動経路上の順番に並んでいる。リンク情報１４２は、リンク種別（第一区間〜第ｎ区間）１４２１、リンクの名称１４２２、および移動手段（電車、バス、徒歩等）１４２３を含む。
【００５２】
到着予想時刻取得部１５は、経路情報記憶部１４に記憶されている移動経路情報から目的地への到着予想時刻（最後のノード情報１４１−ｎの出発予定／通過・到着予想時刻１４１４）を取得する。
【００５３】
待ち合わせ情報送受信部１６は、待ち合わせ相手の携帯端末１との間で、待ち合わせ場所、待ち合わせ場所への到着予想時刻、待ち合わせ時刻等の待ち合わせに関する情報を送受信する。
【００５４】
移動状況監視部１７は、経路情報記憶部１４に記憶されている移動経路情報と、現在地検出部１２により検出された現在地およびその検出時刻（現在時刻）とに基づいて、移動経路上の移動状況を監視する。
【００５５】
具体的には、移動経路情報の各ノード情報１４１に含まれている座標１４１３に基づいて、現在地よりも目的地側に位置し、かつ現在地に最寄りの地点のノード情報１４１を特定し、特定したノード情報１４１から出発予定／通過・到着予想時刻１４１４を取得する。そして、現在地の検出時刻と取得した出発予定／通過・到着予想時刻１４１４の時刻とを比較し、現在地の検出時刻が、取得した出発予定／通過・到着予想時刻１４１４の時刻より所定時間以上後であるならば、目的地に遅着する可能性が高いと判断する。
【００５６】
また、移動経路情報の各ノード情報１４１に含まれている座標１４１３に基づいて、現在地よりも出発地側に位置し、かつ現在地に最寄りの地点のノード情報１４１を特定し、特定したノード情報１４１から出発予定／通過・到着予想時刻１４１４を取得する。そして、現在地の検出時刻と取得した出発予定／通過・到着予想時刻１４１４の時刻とを比較し、現在地の検出時刻が、取得した出発予定／通過・到着予想時刻１４１４の時刻より所定時間以上前であるならば、目的地に早着する可能性が高いと判断する。
【００５７】
待ち合わせ情報記憶部１８には、待ち合わせ相手の携帯端末１との間で設定した待ち合わせ場所（名称、座標）および待ち合わせ時刻が記憶される。
【００５８】
待ち合わせ情報設定部１９は、携帯端末１の各部１０〜１８を統括的に制御して、待ち合わせ相手の携帯端末１と待ち合わせ場所および待ち合わせ時刻を設定する。
【００５９】
図４に示す携帯端末１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵと、メモリと、ＳＳＤ（Ｓｏｌｉｄ  Ｓｔａｔｅ  Ｄｒｉｖｅ）等の補助記憶装置と、無線ＬＡＮアダプタ等の通信インターフェースと、を備えたノートＰＣ、ＰＤＡ（Ｐｅｒｓｏｎａｌ  Ｄｉｇｉｔａｌ  Ａｓｓｉｓｔａｎｔ）、スマートホン等の携帯型のコンピュータシステムにおいて、ＣＰＵが所定のプログラムを補助記憶装置からメモリ上にロードして実行することにより実現されるものでもよい。
【００６０】
図６は、携帯端末１の動作を説明するためのフロー図である。
【００６１】
待ち合わせ情報設定部１９は、マンマシンインターフェース部１１を介して操作者から待ち合わせ場所（名称、座標）の指定を受け付けると（Ｓ２００でＹＥＳ）、後述の待ち合わせ時刻設定マスタ処理を行って（Ｓ２０１）、待ち合わせ相手の携帯端末１と待ち合わせ場所における待ち合わせ時刻を設定する。それから、移動状況監視部１７に、待ち合わせ場所への移動状況の監視を開始させる（Ｓ２０４）。なお、移動状況の監視処理については、図１１を用いて後述する。
【００６２】
また、待ち合わせ情報設定部１９は、無線通信インターフェース部１０および待ち合わせ情報送受信部１６を介して待ち合わせ相手の携帯端末１から待ち合わせ場所の通知を受信すると（Ｓ２０２でＹＥＳ）、後述の待ち合わせ時刻設定スレーブ処理を行って（Ｓ２０３）、待ち合わせ相手の携帯端末１と待ち合わせ場所における待ち合わせ時刻を設定する。それから、移動状況監視部１７に、待ち合わせ場所への移動状況の監視を開始させる（Ｓ２０４）。
【００６３】
つぎに、待ち合わせ情報設定部１９は、図１１を用いて後述する移動状況監視部１７による移動状況の監視中に、マンマシンインターフェース部１１を介して操作者から待ち合わせ時刻の再設定指定を受け付けたならば（Ｓ２０５でＹＥＳ）、後述の待ち合わせ時刻再設定マスタ処理を行って（Ｓ２０６）、待ち合わせ相手の携帯端末１と待ち合わせ場所における待ち合わせ時刻を再設定する。
【００６４】
また、待ち合わせ情報設定部１９は、図１１を用いて後述する移動状況監視部１７による移動状況の監視中に、無線通信インターフェース部１０および待ち合わせ情報送受信部１６を介して待ち合わせ相手の携帯端末１から待ち合わせ時刻の変更通知を受信したならば（Ｓ２０７でＹＥＳ）、後述の待ち合わせ時刻再設定スレーブ処理を行って（Ｓ２０８）、待ち合わせ相手の携帯端末１と待ち合わせ場所における待ち合わせ時刻を再設定する。
【００６５】
また、待ち合わせ情報設定部１９は、図１１を用いて後述する移動状況監視部１７による移動状況の監視中に、現在地検出部１２で検出された現在地が、経路情報記憶部１４に記憶されている移動経路情報に含まれている最後のノード情報１４１−ｎにより特定される目的地から所定範囲内に進入したならば、待ち合わせ場所に到着したものと判断し（Ｓ２０９でＹＥＳ）、移動状況監視部１７に、待ち合わせ場所への移動状況の監視を終了させ（Ｓ２１０）、このフローを終了する。
【００６６】
図７は、図６の待ち合わせ時刻設定マスタ処理（Ｓ２０１）を説明するためのフロー図である。
【００６７】
まず、待ち合わせ情報設定部１９は、マンマシンインターフェース部１１を介して操作者から受け付けた待ち合わせ場所を待ち合わせ相手との待ち合わせ場所に設定して、待ち合わせ情報記憶部１８に記憶する（Ｓ２０１０）。それから、待ち合わせ情報設定部１９は、現在地検出部１２によって検出された最新の現在地を取得する（Ｓ２０１１）。そして、この現在地を出発地とし、待ち合わせ場所を目的地とする経路探索を経路探索要求部１３に指示する。これを受けて、経路探索要求部１３は、無線通信インターフェース部１０を介して経路探索サーバ２に、出発地および目的地の指定を含む経路探索要求を送信する（Ｓ２０１２）。
【００６８】
つぎに、経路探索要求部１３は、無線通信インターフェース部１０を介して経路探索サーバ２から移動経路情報を受信し、この移動経路情報を待ち合わせ情報設定部１９に渡す。これを受けて、待ち合わせ情報設定部１９は、経路情報記憶部１４に経路探索要求部１３から受け取った移動経路情報を記憶する（Ｓ２０１３）。
【００６９】
その後、待ち合わせ情報設定部１９は、マンマシンインターフェース部１１を介して操作者から待ち合わせ相手の携帯端末１（アドレス情報）の指定を受け付けると（Ｓ２０１４でＹＥＳ）、この指定された携帯端末１のアドレス情報および待ち合わせ情報記憶部１８に記憶されている待ち合わせ場所を待ち合わせ情報送受信部１６に渡す。これを受けて、待ち合わせ情報送受信部１６は、無線通信インターフェース部１０を介して待ち合わせ相手の携帯端末１に、待ち合わせ場所の通知を送信する。そして、待ち合わせ相手の携帯端末１から待ち合わせ相手の待ち合わせ場所への到着予想時刻を受信し、この到着予想時刻を待ち合わせ情報設定部１９に渡す（Ｓ２０１５）。
【００７０】
つぎに、待ち合わせ情報設定部１９は、到着予想時刻取得部１５に到着予想時刻の取得を指示する。これを受けて、到着予想時刻取得部１５は、経路情報記憶部１４に記憶されている移動経路情報に含まれている最後のノード情報１４１−ｎから到着予想時刻（出発予定／通過・到着予想時刻１４１４）を取得して、この到着予想時刻を待ち合わせ情報設定部１９に渡す。待ち合わせ情報設定部１９は、待ち合わせ情報送受信部１６から受け取った待ち合わせ相手の到着予想時刻と、到着予想時刻取得部１５から受け取った自携帯端末１の到着予想時刻とを比較して、遅い方の到着予想時刻を待ち合わせ相手との待ち合わせ時刻に設定し、この待ち合わせ時刻を待ち合わせ情報記憶部１８に記憶する（Ｓ２０１６）。
【００７１】
それから、待ち合わせ情報設定部１９は、自携帯端末１の到着予想時刻が待ち合わせ時刻より前の時刻でない場合（Ｓ２０１７でＮＯ）、つまり、自携帯端末１の到着予想時刻が待ち合わせ時刻に設定されているならば、待ち合わせ情報記憶部１８に記憶されている待ち合わせ場所および待ち合わせ時刻と、経路情報記憶部１４に記憶されている移動経路情報とをマンマシンインターフェース部１１に表示する（Ｓ２０２０）。
【００７２】
一方、待ち合わせ情報設定部１９は、自携帯端末１の到着予想時刻が待ち合わせ時刻より前の時刻である場合（Ｓ２０１７でＹＥＳ）、現在地検出部１２から取得した最新の現在地を出発地とし、待ち合わせ場所を目的地とし、待ち合わせ時刻を到着希望時刻とする経路探索を経路探索要求部１３に指示する。これを受けて、経路探索要求部１３は、無線通信インターフェース部１０を介して経路探索サーバ２に、出発地、目的地および到着希望時刻の指定を含む経路探索要求を送信する（Ｓ２０１８）。
【００７３】
つぎに、経路探索要求部１３は、無線通信インターフェース部１０を介して経路探索サーバ２から移動経路情報を受信し、この移動経路情報を待ち合わせ情報設定部１９に渡す。これを受けて、待ち合わせ情報設定部１９は、経路情報記憶部１４に記憶されている移動経路情報を、経路探索要求部１３から新たに受け取った移動経路情報に更新する（Ｓ２０１９）。それから、待ち合わせ情報設定部１９は、待ち合わせ情報記憶部１８に記憶されている待ち合わせ場所および待ち合わせ時刻と、経路情報記憶部１４に記憶されている移動経路情報と、をマンマシンインターフェース部１１に表示する（Ｓ２０２０）。
【００７４】
さて、待ち合わせ情報設定部１９は、マンマシンインターフェース部１１に待ち合わせ場所、待ち合わせ時刻、および移動経路情報を表示したならば（Ｓ２０２０）、無線通信インターフェース部１０および待ち合わせ情報送受信部１６を介して待ち合わせ相手の携帯端末１に、待ち合わせ時刻の通知を送信する（Ｓ２０２１）。その後、無線通信インターフェース部１０および待ち合わせ情報送受信部１６を介して待ち合わせ相手の携帯端末１から待ち合わせ承諾通知を受信したならば（Ｓ２０２２でＹＥＳ）、このフローを終了する。また、待ち合わせ承諾通知の代わりに待ち合わせ拒否通知を受信した場合（Ｓ２０２２でＮＯ）、待ち合わせ情報設定部１９は、待ち合わせ相手から待ち合わせを拒否された旨のメッセージをマンマシンインターフェース部１１に表示するなどの所定のエラー処理を行い、その後、図６のＳ２００に戻る。
【００７５】
図８は、図６の待ち合わせ時刻設定スレーブ処理（Ｓ２０３）を説明するためのフロー図である。
【００７６】
まず、待ち合わせ情報設定部１９は、無線通信インターフェース部１０および待ち合わせ情報送受信部１６を介して待ち合わせ相手の携帯端末１から受信した待ち合わせ場所をこの待ち合わせ相手との待ち合わせ場所に設定し、この待ち合わせ場所を待ち合わせ情報記憶部１８に記憶する（Ｓ２０３０）。それから、待ち合わせ情報設定部１９は、現在地検出部１２によって検出された最新の現在地を取得する（Ｓ２０３１）。そして、この現在地を出発地とし、待ち合わせ場所を目的地とする経路探索を経路探索要求部１３に指示する。これを受けて、経路探索要求部１３は、無線通信インターフェース部１０を介して経路探索サーバ２に、出発地および目的地の指定を含む経路探索要求を送信する（Ｓ２０３２）。
【００７７】
つぎに、経路探索要求部１３は、無線通信インターフェース部１０を介して経路探索サーバ２から移動経路情報を受信し、この移動経路情報を待ち合わせ情報設定部１９に渡す。これを受けて、待ち合わせ情報設定部１９は、経路情報記憶部１４に経路探索要求部１３から受け取った移動経路情報を記憶する（Ｓ２０３３）。
【００７８】
つぎに、待ち合わせ情報設定部１９は、到着予想時刻取得部１５に到着予想時刻の取得を指示する。これを受けて、到着予想時刻取得部１５は、経路情報記憶部１４に記憶されている移動経路情報に含まれている最後のノード情報１４１−ｎから到着予想時刻（出発予定／通過・到着予想時刻１４１４）を取得して、この到着予想時刻を待ち合わせ情報設定部１９に渡す。待ち合わせ情報設定部１９は、到着予想時刻取得部１５から受け取った自携帯端末１の到着予想時刻を待ち合わせ情報送受信部１６に渡す。待ち合わせ情報送受信部１６は、無線通信インターフェース部１０を介して待ち合わせ相手の携帯端末１に、待ち合わせ情報設定部１９から受け取った自携帯端末１の到着予想時刻の通知を送信する（Ｓ２０３４）。
【００７９】
つぎに、待ち合わせ情報送受信部１６は、無線通信インターフェース部１０を介して待ち合わせ相手の携帯端末１から待ち合わせ時刻の通知を受信し（Ｓ２０３５）、待ち合わせ時刻を待ち合わせ情報設定部１９に渡す。これを受けて、待ち合わせ情報設定部１９は、待ち合わせ情報送受信部１６から受け取った待ち合わせ時刻を待ち合わせ相手との待ち合わせ時刻に設定し、この待ち合わせ時刻を待ち合わせ情報記憶部１８に記憶する（Ｓ２０３６）。
【００８０】
それから、待ち合わせ情報設定部１９は、自携帯端末１の到着予想時刻が待ち合わせ時刻より前の時刻でない場合（Ｓ２０３７でＮＯ）、つまり、自携帯端末１の到着予想時刻が待ち合わせ時刻に設定されているならば、待ち合わせ情報記憶部１８に記憶されている待ち合わせ場所および待ち合わせ時刻と、経路情報記憶部１４に記憶されている移動経路情報とをマンマシンインターフェース部１１に表示する（Ｓ２０４０）。
【００８１】
一方、待ち合わせ情報設定部１９は、自携帯端末１の到着予想時刻が待ち合わせ時刻より前の時刻である場合（Ｓ２０３７でＹＥＳ）、現在地検出部１２から取得した最新の現在地を出発地とし、待ち合わせ場所を目的地とし、待ち合わせ時刻を到着希望時刻とする経路探索を経路探索要求部１３に指示する。これを受けて、経路探索要求部１３は、無線通信インターフェース部１０を介して経路探索サーバ２に、出発地、目的地および到着希望時刻の指定を含む経路探索要求を送信する（Ｓ２０３８）。
【００８２】
つぎに、経路探索要求部１３は、無線通信インターフェース部１０を介して経路探索サーバ２から移動経路情報を受信し、この移動経路情報を待ち合わせ情報設定部１９に渡す。これを受けて、待ち合わせ情報設定部１９は、経路情報記憶部１４に記憶されている移動経路情報を、経路探索要求部１３から新たに受け取った移動経路情報に更新する（Ｓ２０３９）。それから、待ち合わせ情報設定部１９は、待ち合わせ情報記憶部１８に記憶されている待ち合わせ場所および待ち合わせ時刻と、経路情報記憶部１４に記憶されている移動経路情報と、をマンマシンインターフェース部１１に表示する（Ｓ２０４０）。
【００８３】
さて、待ち合わせ情報設定部１９は、待ち合わせ場所、待ち合わせ時刻、および移動経路情報をマンマシンインターフェース部１１に表示した後（Ｓ２０４０）、マンマシンインターフェース部１１を介して操作者から承諾操作を受け付けたならば（Ｓ２０４１でＹＥＳ）、待ち合わせ情報送受信部１６および無線通信インターフェース部１０を介して待ち合わせ相手の携帯端末１に待ち合わせ承諾通知を送信し（Ｓ２０４２）、このフローを終了する。
【００８４】
また、待ち合わせ承諾操作の代わりに待ち合わせ拒否操作を操作者から受け付けた場合（Ｓ２０４１でＮＯ）、待ち合わせ情報設定部１９は、待ち合わせ情報送受信部１６および無線通信インターフェース部１０を介して待ち合わせ相手の携帯端末１に待ち合わせ拒否通知を送信し（Ｓ２０４３）、その後、図６のＳ２００に戻る。
【００８５】
図９は、図６の待ち合わせ時刻再設定マスタ処理（Ｓ２０６）を説明するためのフロー図である。
【００８６】
まず、待ち合わせ情報設定部１９は、現在地検出部１２によって検出された最新の現在地を取得する（Ｓ２０６０）。また、移動状況監視部１７から移動状況を取得し、この移動状況が「遅着」を示しているか、それとも「早着」を示しているかを解析する（Ｓ２０６１）。ここで、移動状況監視部１７から取得した移動状況が「遅着」を示している場合（Ｓ２０６１で「遅着」）、待ち合わせ情報設定部１９は、現在地検出部１２から取得した最新の現在地を出発地とし、待ち合わせ情報記憶部１８に記憶されている待ち合わせ場所を目的地とする経路探索を経路探索要求部１３に指示する。これを受けて、経路探索要求部１３は、無線通信インターフェース部１０を介して経路探索サーバ２に、出発地および目的地の指定を含む経路探索要求を送信する（Ｓ２０６２）。
【００８７】
つぎに、経路探索要求部１３は、無線通信インターフェース部１０を介して経路探索サーバ２から移動経路情報を受信し、この移動経路情報を待ち合わせ情報設定部１９に渡す。これを受けて、待ち合わせ情報設定部１９は、経路情報記憶部１４に記憶されている移動経路情報を、経路探索要求部１３から受け取った移動経路情報に更新する（Ｓ２０６３）。
【００８８】
つぎに、待ち合わせ情報設定部１９は、到着予想時刻取得部１５に到着予想時刻の取得を指示する。これを受けて、到着予想時刻取得部１５は、経路情報記憶部１４に記憶されている移動経路情報に含まれている最後のノード情報１４１−ｎから到着予想時刻（出発予定／通過・到着予想時刻１４１４）を取得して、この到着予想時刻を待ち合わせ情報設定部１９に渡す。待ち合わせ情報設定部１９は、到着予想時刻取得部１５から受け取った自携帯端末１の到着予想時刻が、待ち合わせ情報記憶部１８に記憶されている待ち合わせ時刻よりも遅い時間であるか否かを判断する（Ｓ２０６４）。
【００８９】
自携帯端末１の到着予想時刻が待ち合わせ時刻よりも遅い時間である場合（Ｓ２０６４でＹＥＳ）、待ち合わせ情報設定部１９は、自携帯端末１の到着予想時刻を待ち合わせ相手との待ち合わせ時刻に再設定し、待ち合わせ情報記憶部１８に記憶されている待ち合わせ時刻を自携帯端末１の到着予想時刻に変更する（Ｓ２０６５）。それから、待ち合わせ情報設定部１９は、待ち合わせ情報記憶部１８に記憶されている待ち合わせ場所および待ち合わせ時刻と、経路情報記憶部１４に記憶されている移動経路情報とをマンマシンインターフェース部１１に表示する（Ｓ２０６６）。その後、待ち合わせ情報送受信部１６および無線通信インターフェース部１０を介して待ち合わせ相手の携帯端末１に、待ち合わせ時刻の変更通知を送信して（Ｓ２０６７）、このフローを終了する。
【００９０】
一方、自携帯端末１の到着予想時刻が待ち合わせ時刻よりも遅い時間でない場合（Ｓ２０６４でＮＯ）、待ち合わせ情報設定部１９は、待ち合わせ情報記憶部１８に記憶されている待ち合わせ場所および待ち合わせ時刻と、経路情報記憶部１４に記憶されている移動経路情報とをマンマシンインターフェース部１１に表示して（Ｓ２０７０）、このフローを終了する。
【００９１】
また、移動状況監視部１７から取得した移動状況が「早着」を示している場合（Ｓ２０６１で「早着」）、待ち合わせ情報設定部１９は、現在地検出部１２から取得した最新の現在地を出発地とし、待ち合わせ情報記憶部１８に記憶されている待ち合わせ場所および待ち合わせ時刻を目的地および到着希望時刻とする経路探索を経路探索要求部１３に指示する。これを受けて、経路探索要求部１３は、無線通信インターフェース部１０を介して経路探索サーバ２に、出発地、目的地および到着予定時刻の指定を含む経路探索要求を送信する（Ｓ２０６８）。
【００９２】
つぎに、経路探索要求部１３は、無線通信インターフェース部１０を介して経路探索サーバ２から移動経路情報を受信し、この移動経路情報を待ち合わせ情報設定部１９に渡す。これを受けて、待ち合わせ情報設定部１９は、経路情報記憶部１４に記憶されている移動経路情報を、経路探索要求部１３から受け取った移動経路情報に更新する（Ｓ２０６９）。それから、待ち合わせ情報設定部１９は、待ち合わせ情報記憶部１８に記憶されている待ち合わせ場所および待ち合わせ時刻と、経路情報記憶部１４に記憶されている移動経路情報とをマンマシンインターフェース部１１に表示して（Ｓ２０７０）、このフローを終了する。
【００９３】
図１０は、図６の待ち合わせ時刻再設定スレーブ処理（Ｓ２０８）を説明するためのフロー図である。
【００９４】
まず、待ち合わせ情報設定部１９は、無線通信インターフェース部１０および待ち合わせ情報送受信部１６を介して待ち合わせ相手の携帯端末１から受信した待ち合わせ時刻の変更通知により特定される待ち合わせ時刻を待ち合わせ相手との待ち合わせ場所に再設定して、待ち合わせ情報記憶部１８に記憶されている待ち合わせ時刻を、この再設定された待ち合わせ時刻に変更する。それから、この再設定された待ち合わせ時刻をマンマシンインターフェース部１１に表示する（Ｓ２０８０）。
【００９５】
つぎに、待ち合わせ情報設定部１９は、マンマシンインターフェース部１１を介して操作者から移動経路の再探索の要否（再探索指示あるいはキャンセル指示）を受け付ける（Ｓ２０８１）。ここで、受け付けた再探索の要否が「不要」（キャンセル指示）である場合（Ｓ２０８２でＮＯ）、このフローを終了する。
【００９６】
一方、受け付けた再探索の要否が「必要」（再探索指示）である場合（Ｓ２０８２でＹＥＳ）、待ち合わせ情報設定部１９は、現在地検出部１２によって検出された最新の現在地を取得する（Ｓ２０８３）。それから、この現在地を出発地とし、待ち合わせ情報記憶部１８に記憶されている待ち合わせ場所および待ち合わせ時刻を目的地および到着希望時刻とする経路探索を経路探索要求部１３に指示する。これを受けて、経路探索要求部１３は、無線通信インターフェース部１０を介して経路探索サーバ２に、出発地、目的地および到着予定時刻の指定を含む経路探索要求を送信する（Ｓ２０８４）。
【００９７】
つぎに、経路探索要求部１３は、無線通信インターフェース部１０を介して経路探索サーバ２から移動経路情報を受信し、この移動経路情報を待ち合わせ情報設定部１９に渡す。これを受けて、待ち合わせ情報設定部１９は、経路情報記憶部１４に記憶されている移動経路情報を、経路探索要求部１３から受け取った移動経路情報に更新する（Ｓ２０８５）。それから、待ち合わせ情報設定部１９は、待ち合わせ情報記憶部１８に記憶されている待ち合わせ場所および待ち合わせ時刻と、経路情報記憶部１４に記憶されている移動経路情報とをマンマシンインターフェース部１１に表示して（Ｓ２０８６）、このフローを終了する。
【００９８】
図１１は、図６において、Ｓ２０４により開始して、Ｓ２１０により終了する移動状況監視処理を説明するためのフロー図である。
【００９９】
移動状況監視部１７は、定期的に到来する監視タイミングになると（Ｓ３００でＹＥＳ）、現在地検出部１２によって検出された最新の現在地をその検出時刻（現在時刻）とともに取得する（Ｓ３０１）。
【０１００】
つぎに、移動状況監視部１７は、経路情報記憶部１４に記憶されている移動経路情報に含まれている各ノード情報１４１の座標１４１３を参照し、移動経路上、現在地よりも目的地（最後のノード情報１４１−ｎ）側に位置し、かつ現在地に最も近い地点（以下、遅着判断用地点）のノード情報１４１を特定する（Ｓ３０２）。
【０１０１】
そして、現在時刻が、遅着判断用地点のノード情報１４１の出発予定／通過・到着予想時刻１４１４により特定される通過予想時刻あるいは到着予想時刻よりも所定時間（例えば１５分）以上後の時刻であるか否かを判断する（Ｓ３０３）。
【０１０２】
現在時刻が、遅着判断用地点のノード情報１４１の出発予定／通過・到着予想時刻１４１４により特定される通過予想時刻あるいは到着予想時刻よりも所定時間以上後の時刻の場合（Ｓ３０３でＹＥＳ）、移動状況監視部１７は、目的地に遅着する可能性が高いと判断する。そして、移動状況監視部１７は、経路情報記憶部１４に記憶されている移動経路情報から、現在地が位置している区間のリンク情報１４２、つまり遅着判断用地点のノード情報１４１の直前に位置するリンク情報１４２を特定し、このリンク情報１４２の移動手段１４２３に記述されている移動手段を抽出する（Ｓ３０４）。それから、移動状況監視部１７は、待ち合わせ情報設定部１９に、遅着警告を、抽出した移動手段とともに通知する。
【０１０３】
これを受けて、待ち合わせ情報設定部１９は、マンマシンインターフェース部１１に、遅着警告を、移動手段に応じて内容を変えて表示する（Ｓ３０５）。例えば、移動手段が「徒歩」の場合、「遅れているので急いで下さい。待ち合わせ時間を変更しますか？」といった遅着警告のメッセージを表示し、移動手段が「電車」あるいは「バス」の場合、「遅れています。待ち合わせ時間を変更しますか？」といった遅着警告のメッセージを表示する。それから、Ｓ３００に戻る。
【０１０４】
なお、上述の「徒歩」、「電車」、「バス」はあくまで一例であって、「徒歩」の代わりに「自転車」、「電車」の代わりに「飛行機」等、経路探索サーバ２が探索可能な移動手段であれば、どのような方法で探索してもよい。
【０１０５】
一方、現在時刻が、遅着判断用地点のノード情報１４１の出発予定／通過・到着予想時刻１４１４により特定される通過予想時刻あるいは到着予想時刻よりも所定時間以上後の時刻でない場合（Ｓ３０３でＮＯ）、移動状況監視部１７は、さらに、移動経路上、現在地よりも出発地（最初のノード情報１４１）側に位置し、かつ現在地に最も近い地点（以下、早着判断用地点）のノード情報１４１を特定する（Ｓ３０６）。
【０１０６】
そして、現在時刻が、早着判断用地点のノード情報１４１の出発予定／通過・到着予想時刻１４１４により特定される通過予想時刻あるいは到着予想時刻よりも所定時間（例えば１５分）以上前の時刻であるか否かを判断する（Ｓ３０７）。
【０１０７】
現在時刻が、早着判断用地点のノード情報１４１の出発予定／通過・到着予想時刻１４１４により特定される通過予想時刻あるいは到着予想時刻よりも所定時間以上前の時刻の場合（Ｓ３０７でＹＥＳ）、移動状況監視部１７は、目的地に早着する可能性が高いと判断する。そして、移動状況監視部１７は、経路情報記憶部１４に記憶されている移動経路情報から、現在地が位置している区間のリンク情報１４２、つまり早着判断用地点のノード情報１４１の直後に位置するリンク情報１４２を特定し、このリンク情報１４２の移動手段１４２３に記述されている移動手段を抽出する（Ｓ３０８）。それから、移動状況監視部１７は、待ち合わせ情報設定部１９に、早着警告を、抽出した移動手段とともに通知する。
【０１０８】
これを受けて、待ち合わせ情報設定部１９は、マンマシンインターフェース部１１に、早着警告を移動手段に応じて内容を変えて表示する（Ｓ３０９）。例えば、移動手段が「徒歩」の場合、「このままでは早く着き過ぎるのでゆっくり移動できます。移動経路を再探索しますか？」といった早着警告のメッセージを表示し、移動手段が「電車」あるいは「バス」の場合、「このままでは早く着き過ぎます。空いている交通手段を利用することができます。移動経路を再探索しますか？」といった早着警告のメッセージを表示する。それから、Ｓ３００に戻る。
【０１０９】
一方、現在時刻が早着判断用地点のノード情報１４１の出発予定／通過・到着予想時刻１４１４により特定される通過予想時刻あるいは到着予想時刻よりも所定時間以上前の時刻でない場合は（Ｓ３０７でＮＯ）、直ちにＳ３００も戻る。
【０１１０】
以上、本発明の一実施の形態を説明した。
【０１１１】
本実施の形態では、互いに待ち合わせ時刻に待ち合わせ場所に到着できるように、待ち合わせ時刻を携帯端末１間で設定する。すなわち、待ち合わせ時刻を設定する２つの携帯端末１のうち、一方の携帯端末１は、操作者から入力された待ち合わせ場所に関する情報を相手の携帯端末１に送信するとともに、現在地から待ち合わせ場所に移動した場合における待ち合わせ場所への到着予想時刻を取得する。また、他方の携帯端末１は、待ち合わせ場所に関する情報を相手の携帯端末１から受信するとともに、現在地から待ち合わせ場所に移動した場合における待ち合わせ場所への到着予想時刻を取得する。それから、一方あるいは他方の携帯端末１は、相手の携帯端末１から到着予想時刻を取得し、これを自身の到着予想時刻と比較して、遅い方の到着予想時刻を待ち合わせ時刻に設定する。そして、待ち合わせ時刻を相手の携帯端末１に送信する。
【０１１２】
したがって、本実施の携帯によれば、携帯端末１間において、それぞれの現在地から待ち合わせ場所に移動した場合における待ち合わせ場所への到着予想時刻のうちの遅い方の時刻を待ち合わせ時刻に設定するので、各携帯端末１の操作者は、待ち合わせ時刻に遅れることなく待ち合わせ場所に移動することが可能となる。このため、互いに、相手を待ち合わせ場所で長い時間待たせることのないように、待ち合わせ時刻を携帯端末１間で設定することができる。
【０１１３】
また、本実施の形態において、携帯端末１は、現在地を出発地とし、待ち合わせ場所を目的地とする経路探索要求を経路探索サーバ２に送信し、出発地から目的地までの移動経路情報を経路探索サーバ２から取得する。そして、この移動経路情報から目的地である待ち合わせ場所への到着予想時刻を取得する。したがって、本実施の形態によれば、現在地から待ち合わせ場所への移動経路を、待ち合わせ場所への到着予想時刻とともに、携帯端末１に表示することができるので、携帯端末１の操作者の利便性を向上させることができる。
【０１１４】
また、本実施の形態において、携帯端末１は、相手の携帯端末１との間に設定された待ち合わせ時刻が、自携帯端末１の待ち合わせ場所への到着予想時刻より遅い時刻である場合に、現在地を出発地とし、待ち合わせ場所を目的地とし、設定された待ち合わせ時刻を到着希望時刻とする経路探索要求を経路探索サーバ２に送信して、経路探索サーバ２から移動経路情報を再度取得する。したがって、本実施の形態によれば、この再度取得した移動経路情報を用いて移動することにより、待ち合わせ時刻に待ち合わせ場所へ到着するように移動することができる。
【０１１５】
また、本実施の形態において、携帯端末１は、検出された最新の現在地およびその検出時刻と、出発地から目的地までの移動経路情報とに基づいて、目的地である待ち合わせ場所への移動状況を監視する。そして、最新の現在地の検出時刻が、この現在地よりも目的地側に位置し、かつ現在地に最寄りの経由地の通過予想時刻の所定時間以上後である場合に、待ち合わせ場所への遅着を警告する。したがって、本実施の形態によれば、待ち合わせ時刻までに待ち合わせ場所に到着できない可能性があることを操作者に知らせることができ、これにより、待ち合わせ相手への連絡等の対策を操作者にとらせることができる。
【０１１６】
また、本実施の形態において、携帯端末１は、最新の現在地の検出時刻が、この現在地よりも出発地側に位置し、かつこの現在地に最寄りの経由地の通過予想時刻の所定時間以上前である場合に、待ち合わせ場所への早着を警告する。したがって、本実施の形態によれば、待ち合わせ時刻よりも早く待ち合わせ場所に到着してしまう可能性があることを操作者に知らせることができる。これにより、操作者は、時間的に余裕があることを認識することができるため、例えば、空いている交通手段に乗り換えたり、移動速度を遅くしたりすることができる。
【０１１７】
また、本実施の形態において、携帯端末１は、遅着あるいは早着の警告をする場合、現在地が位置する移動経路上の区間の移動手段に応じて警告内容を変更するので、操作者により適切な対策をとらせることができる。
【０１１８】
また、本実施の形態において、携帯端末１は、遅着の警告に対して操作者から待ち合わせ時刻の再設定指示を受け付けた場合に、検出された最新の現在地を出発地とし、待ち合わせ場所を目的地とする移動経路情報を経路探索サーバ２から取得して、この移動経路情報に含まれている待ち合わせ場所への到着予想時刻を特定する。そして、この到着予想時刻が、相手の携帯端末１との間で設定された待ち合わせ時刻より遅いならば、待ち合わせ時刻をこの到着予想時刻に再設定するとともに、再設定された待ち合わせ時刻を含む待ち合わせ時刻の変更通知を相手の携帯端末１に送信する。また、携帯端末１は、相手の携帯端末１から待ち合わせ時刻の変更通知を受信した場合に、待ち合わせ時刻を、この変更通知に含まれている待ち合わせ時刻に再設定する。したがって、本実施の形態によれば、待ち合わせ時刻の設定後においても、互いに、相手を待ち合わせ場所で長い時間待たせることのないように、待ち合わせ時刻を携帯端末１間で調整することができる。
【０１１９】
なお、本発明は上記の実施の形態に限定されるものではなく、その要旨の範囲内で数々の変形が可能である。
【０１２０】
例えば、上記の実施の形態において、出発地から目的地までの移動経路情報を経路探索サーバ２から取得しているが、本発明はこれに限定されない。携帯端末１に経路探索機能を追加し、内蔵のあるいはネットワーク３に接続された地図データベースを用いて経路探索処理を行うことにより、移動経路情報を取得するようにしてもよい。
【０１２１】
また、上記の実施の形態においては、２台の携帯端末１間で待ち合わせ時刻を調整しているが、３台以上の携帯端末１間で待ち合わせ時刻を調整するようにしてもよい。この場合、操作者より待ち合わせ場所および２人以上の待ち合わせ相手の指定を受け付けた携帯端末１は、それぞれの待ち合わせ相手の携帯端末１に待ち合わせ場所を通知し、それぞれの待ち合わせ相手の携帯電話１の到着予想時刻と、自携帯端末１の待ち合わせ場所への到着予想時刻とのうちの、例えば一番遅い到着予想時刻を待ち合わせ時刻に設定することができる。また、待ち合わせ場所の通知元および通知先の携帯端末１のうち、予め定められた携帯端末１が、他の携帯端末１の到着予想時刻を取得して待ち合わせ時刻を設定してもよい。
【０１２２】
また、上記の実施の形態では、操作者より待ち合わせ場所および待ち合わせ相手の指定を受け付けた携帯端末１（図２の携帯端末１−１）が、自携帯端末１の待ち合わせ場所への到着予想時刻と、相手の携帯端末１の待ち合わせ場所の到着予想時刻とを比較して、待ち合わせ時刻を設定し、相手の携帯端末１に待ち合わせ時刻を通知している。しかし、本発明はこれに限定されない。相手の携帯端末１から待ち合わせ場所の通知を受けた携帯端末１（図２の携帯端末１−２）が待ち合わせ時刻を設定して、相手の携帯端末１に待ち合わせ時刻を通知するようにしてもよい。この場合、相手の携帯端末１は、待ち合わせ場所を通知する際に（図２のＳ１０６）、自携帯端末１の待ち合わせ場所への到着予想時刻を通知する。そして、相手の携帯端末１から待ち合わせ場所および到着予想時刻の通知を受けた携帯端末１は、自携帯端末１の待ち合わせ場所への到着予想時刻と、相手の携帯端末１の待ち合わせ場所への到着予想時刻とを比較して、待ち合わせ時刻を設定し、相手の携帯端末１に待ち合わせ時刻を通知する（図２のＳ１１１において、到着予想時刻に代えて待ち合わせ時刻を通知する）。
【０１２３】
また、上記の実施の形態においては、図１１のＳ３００において監視タイミングを定期的なタイミングとして説明しているが、本発明はこれに限定されない。経路情報の出発予想時刻、通過予想時刻および到着予想時刻から各区間の移動時間を算出し、算出した移動時間に応じて監視タイミングを変更するようにしてもよいし（例えば移動時間が長い場合には、監視タイミングを長くする等）、あるいは経路情報の移動手段に応じて監視タイミングを変更するようにしてもよい（例えば移動手段が電車の場合は、監視タイミングを長くする）。また、現在地検出部１２において操作者の移動距離を監視し、操作者が所定の移動距離を移動するごとに監視するようにしてもよい。
【符号の説明】
【０１２４】
１、１−１、１−２：携帯端末、  ２：経路探索サーバ、  ３：ネットワーク、  ４：無線基地局、  １０：無線通信インターフェース部、  １１：マンマシンインターフェース部、  １２：現在地検出部、  １３：経路探索要求部、  １４：経路情報記憶部、  １５：到着予想時刻取得部、  １６：待ち合わせ情報送受信部、  １７移動状況監視部、  １８：待ち合わせ情報記憶部、  １９：待ち合わせ情報設定部
【図１】
2015082243.tif 000003
【図２】
2015082243.tif 000004
【図３】
2015082243.tif 000005
【図４】
2015082243.tif 000006
【図５】
2015082243.tif 000007
【図６】
2015082243.tif 000008
【図７】
2015082243.tif 000009
【図８】
2015082243.tif 000010
【図９】
2015082243.tif 000011
【図１０】
2015082243.tif 000012
【図１１】
2015082243.tif 000013